(57)【要約】【課題】  単灯で三色発光する補助信号機が、主信号機の背面に容易に付設できて省資源を達成し、交差点における信号の識別を向上させて安全性の高い交差点とすることを目的とする。【解決手段】  アーム１５に主信号機１で三灯の電球式灯器２と主信号機１の背面に補助信号機４で単灯のＬＥＤ式灯器５およびコンバータ１０を固定する。そして、ＬＥＤ式灯器５は単体で三色発光する四本のフレームをもつＬＥＤとし、常に主信号機１と補助信号機４が連動するようコンバータ１０を設けている。また、補助信号機４は単灯のため外寸は小型化されて主信号機１の縦横の形状に対応でき、ＬＥＤ式灯器５により消費電力は小さくなり発光寿命は長くなって省資源となるものである。従って、上記のような単灯の補助信号機４を主信号機１の背面に付設することにより、信号の識別が一段と向上して安全性の高い交差点となるものである。【選択図】        図１
2005050173.tif 000002
【特許請求の範囲】
【請求項１】
道路の交通整理に設けられている補助信号機において、前記補助信号機の表示灯を単灯とし、前記単灯の発光体が主信号機と連動するよう信号制御盤以降の主ケーブルに変換器を接続し、前記変換器において分岐される信号を二本のケーブルによって、一方は前記変換器の入力端子より前記主信号機へ、他方は前記変換器の出力端子より前記補助信号機へ印加することにより、前記主信号機の発光色と合致して同期に発光する多色発光体をもつことを特徴とする単灯式の補助信号機。
【発明の詳細な説明】
【技術分野】
【０００１】
本発明は、道路の交通整理において主信号機の識別向上に設けられている補助信号機に関するものである。
【背景技術】
【０００２】
これまでの補助信号機としては、主信号機と同様の表示灯が三灯式のものがあり、類似する単灯式では特開平１０−６３９９４と特開２００１−６７５９７および特開２００２−２６０１７５があり、導光板式では特開平１０−２２２７９８のようなものがあった。
【発明の開示】
【発明が解決しようとする課題】
【０００３】
このような従来の技術は、前記の三灯式ものは電球式のため消費電力が大きくて寿命が短いことと、外寸が大型化して省資源に反するものであった。
【０００４】
そして、後記の単灯式の特開平１０−６３９９４と特開２００２−２６０１７５は、双方とも単色発光のＬＥＤを三種配列して三色を発光させるものなので、限られた表示灯面積に対して発光効率が悪かったことと、特開２００１−６７５９７においては三色発光のＬＥＤを採り入れているが、遮蔽板を付けるなど作動手段が不明確で主信号機の三灯式を特異性のある単灯式への変更には、日常運転の習慣から安全性の問題点があった。
【０００５】
また、導光板式の特開平１０−２２２７９８は導光板と単色の光源とが一対の構成となっているため、単灯式には不可で従来の三灯式には使用可能なものであった。
【課題を解決するための手段】
【０００６】
以上のような課題を解決するために次のような手段を用いる。
先ず、主信号機は日常運転の慣れから三灯式とし安全性の確保のため、前記主信号機の発光色と単灯式の補助信号機の発光色とが必ず合致して同期するよう、信号制御盤からの主ケーブルに接続する変換器および前記変換器において分岐される二本の分岐ケーブルを付設する。
【０００７】
そして、前記主ケーブルからの信号は前記変換器の端子により分岐され、一方の前記分岐ケーブルは入力端子より前記主信号機へ、他方の前記分岐ケーブルは前記変換器により変換された信号を出力端子より前記補助信号機の単灯式で三色発光する多色発光体へ印加することにより、双方は連動して発光するものとなる。
【０００８】
従って、上記の構成により発光体の消費電力が小さくなって長寿命化と高効率化が計られ、かつ、単灯式のため外寸も小型化されて省資源の目的を達成できる補助信号機となるものである。
【発明の効果】
【０００９】
本発明は、以上説明したような構成をしているので、以下に記載されるような効果がある。
【００１０】
先ず、主信号機の背面に単灯式の補助信号機を付設するには、主信号機と補助信号機が連動するよう変換器と分岐ケーブルを主信号機の近傍に付設することにより容易に可能となり、交差点における安全性が向上するものである。
【００１１】
次に、単体で多色発光するＬＥＤを採り入れることにより単色発光するＬＥＤより基板での配置が均一化されて、表面にメッキを施した伸銅品の反射放熱板を付設することにより、限られた面積における発光効率の向上および高い熱伝導率によるＬＥＤの発熱の影響を軽減でき、さらに、ＬＥＤを数十個並列に接続することにより球切れによる消灯状態は無くなるものである。
【００１２】
そして、発光体を電球式からＬＥＤ式に変更することにより発光体の寿命は長くなり消費電力も小さくなって、単灯式という外寸の小型化も相成って省資源に貢献するものである。
【００１３】
さらに、従来の三灯式の補助信号機を単灯式にすることにより主信号機の形状が縦横どの方向でも対応でき、外寸の小型化により角度調整も大きくとれて対向する運転手へ信号の識別が向上し、また、慣れるまでは昼間においては単灯式という違和感は生じるが、夜間においては全く違和感は無くなるものとなる。
【００１４】
また、ＣＦＬ式においても上記と同様の効果が得られて、双方とも単灯式のため常時点灯状態となり三灯の電球式に見られるような太陽の逆光による表示灯の疑似点灯は無くなり、補助信号機の識別が一段と向上するものである。
【発明を実施するための最良の形態】
【００１５】
先ず、本発明の第一実施例を図面に基づき説明する。
図１は、支柱１４に信号制御盤１３およびアーム１５が固着され、アーム１５に主信号機１で三灯の電球式灯器２、主信号機１の背面には補助信号機４で発光ダイオード（以下、発光ダイオードをＬＥＤという）による単灯のＬＥＤ式灯器５、補助信号機４と視認させる表示板１７、さらに交流を直流に変換するコンバータ１０が固定されている信号機の概況を示すものである。
【００１６】
図２は、アーム１５に主信号機１と主信号機１の背面となるところに補助信号機４と表示板１７およびコンバータ１０が固定され、主ケーブル１１は図１の信号制御盤１３に接続し、コンバータ１０において分岐された二本の分岐ケーブル１２により、主信号機１と補助信号機４のＬＥＤ式灯器５に接続されている状態を示す立面図である。
【００１７】
図３は、上記の平面図でアーム１５には補助信号機４が容易に上下左右に調整保持できる角度調整金具１６を付設して、運転手に対し最も識別できるようにしている。この場合、補助信号機４の直径が主信号機１の長辺より小さいために角度調整は大きくすることができ、運転手に最適の角度が信号の識別を向上させるものとなる。そして、図４は上記の側面図である。
【００１８】
図５は、降雪地帯に多く設置されている縦型主信号機３の背面に補助信号機４を固定した状態を示すもので、補助信号機４が単灯式のために主信号機の形状が縦横問わずにはアーム１５に充分固定できるものである。
【００１９】
図６は、信号制御盤１３以降のブロック図であり信号制御盤１３からの主ケーブル１１はコンバータ１０に接続され、コンバータ１０において分岐された二本の分岐ケーブル１２により、主信号機１の電球式灯器２と補助信号機４のＬＥＤ灯器５に接続されている。
【００２０】
図７は、電球式灯器２とＬＥＤ式灯器５となる多色発光ＬＥＤ６の連動を説明するもので、電球式灯器２の赤、黄、青の三色の灯器をＬ１、Ｌ２、Ｌ３とし、これに連動する多色発光ＬＥＤ６は一本アノードＡと三本カソードＣ１、Ｃ２、Ｃ３のフレームをもち、赤、黄、青の三色をＬＥＤ１、ＬＥＤ２、ＬＥＤ３としている。
【００２１】
例えば、信号制御盤１３から赤の信号が発信された場合、コンバータ１０において信号は分岐され、一方はコンバータ１０の入力端子より電球式灯器２の赤のＬ１を発光させ、他方はコンバータ１０により直流に変換された信号を出力端子より多色発光ＬＥＤ６の中で赤の発光素子をもつＬＥＤ１を発光させる。
【００２２】
従って、Ｌ１とＬＥＤ１は同期に発光し、以下、黄のＬ２とＬＥＤ２および青のＬ３とＬＥＤ３も同じような回路となっているので、主信号機１と補助信号機４の発光色は合致するものとなる。なお、ＬＥＤの三色の発光素子の物質については、特開２００２−２９８６２９で公知となっている。
【００２３】
図８は、ＬＥＤ灯器５の側面の一断面を示すもので、基板７に四本のフレームを持つ多色発光ＬＥＤ６を同心円状に配置して、多色発光ＬＥＤ６の輝度の向上と発熱を抑えるために、高い熱伝導率を保有する伸銅品を多色発光ＬＥＤ６が収まるよう円錐状に穿孔し、この伸銅品の表面にメッキの加工した反射放熱板９を付設し、無色透明レンズ８を通して三色を発光するものである。
【００２４】
次に、本発明の第二実施例を図面に基づき説明する。  
図９は、第一実施例の発光体である多色発光ＬＥＤ６の代わりに冷陰極蛍光ランプ（以下、冷陰極蛍光ランプをＣＦＬという）を採り入れた補助信号機の立面を示すもので、この場合、ＣＦＬ式灯器１８の特性を考慮して形状を角形補助信号機４ａとし、また、第一実施例のコンバータ１０もインバータ１９に代えているものである。
【００２５】
図１０は、電球式灯器２とＣＦＬ式灯器１８となるＣＦＬ２０の連動を説明するもので、電球式灯器２を前記の通りＬ１、Ｌ２、Ｌ３とし、これに連動するＣＦＬ２０は赤、黄、青の三色発光をＣＦＬ１、ＣＦＬ２、ＣＦＬ３とし三灯を一組とするものである。
【００２６】
例えば、信号制御盤１３から赤の信号が発信された場合、その信号はインバータ１９において信号は分岐され、一方はインバータ１９の入力端子より電球式灯器２の赤のＬ１を発光させ、他方はインバータ１９により周波数変換された信号を出力端子よりＣＦＬ２０の中で赤の蛍光体を持つＣＦＬ１を発光させる。
【００２７】
従って、Ｌ１とＣＦＬ１は同期に発光し、以下、黄のＬ２とＣＦＬ２および青のＬ３とＣＦＬ３も同じような回路となっているので、主信号機１と補助信号機４の発光色は合致するものとなる。なお、ＣＦＬ２０の三色を発光する蛍光体については、オーム社刊の電気工学ポケットブックで公知となっている。
【００２８】
図１１は、ＣＦＬ式灯器１８の側面の一断面を示すもので、第一実施例と同じ材質で横方向に溝三本と内面をメッキ加工した溝付反射放熱板９ａに、ＣＦＬ２０を上下それぞれに一組付設しているものである。
【００２９】
そして、既存のＴＦＴ液晶モニタにあるような光学シミュレーション技術を利用してＣＦＬ２０の中の一本を発光させた場合、その光は反射シート２２から導光板２１および拡散プリズムシート２３を通して無色透明レンズ８に達し、単色を均一に発光するものとなる。
【００３０】
従って、ＣＦＬ２０は単色発光するＣＦＬ１〜３の三本を一組として均一な三色を発光するため、ＣＦＬ式灯器１８は大きな表示を要する交差点の補助信号機に適するものである。
【図面の簡単な説明】
【００３１】
【図１】主信号機と補助信号機の交差点での設置図である。
【図２】主信号機と補助信号機およびコンバータの立面図である。
【図３】上記の平面図である。
【図４】上記の側面図である。
【図５】縦型主信号機の場合を示した図である。
【図６】信号制御盤以降のブロック図である。
【図７】信号制御盤以降のＬＥＤの連動説明図である。
【図８】ＬＥＤ式灯器の側面の一断面図である。
【図９】角形補助信号機を示す図である。
【図１０】信号制御盤以降のＣＦＬの連動説明図である。
【図１１】ＣＦＬ式灯器の側面の一断面図である。
【符号の説明】
【００３２】
１    主信号機
２    電球式灯器
３    縦型主信号機
４    補助信号機
４ａ  角形補助信号機
５    ＬＥＤ式灯器
６    多色発光ＬＥＤ
７    基板
８    無色透明レンズ
９    反射放熱板
９ａ  溝付反射放熱板
１０    コンバータ
１１    主ケーブル
１２    分岐ケーブル
１３    信号制御盤
１４    支柱
１５    アーム
１６    角度調整金具
１７    表示板
１８    ＣＬＦ式灯器
１９    インバータ
２０    ＣＬＦ
２１    導光板
２２    反射シート
２３    拡散プリズムシート
２４    補強板
【図１】
2005050173.tif 000003
【図２】
2005050173.tif 000004
【図３】
2005050173.tif 000005
【図４】
2005050173.tif 000006
【図５】
2005050173.tif 000007
【図６】
2005050173.tif 000008
【図７】
2005050173.tif 000009
【図８】
2005050173.tif 000010
【図９】
2005050173.tif 000011
【図１０】
2005050173.tif 000012
【図１１】
2005050173.tif 000013
【手続補正書】
【提出日】平成15年7月31日(2003.7.31)
【手続補正１】
【補正対象書類名】明細書
【補正対象項目名】全文
【補正方法】変更
【補正の内容】
【発明の詳細な説明】
【技術分野】
【０００１】
本発明は、道路の交通整理において主信号機の識別向上に設けられている補助信号機に関するものである。
【背景技術】
【０００２】
これまでの補助信号機としては、主信号機と同様の表示灯が三灯式のものがあり、類似する単灯式では、例えば特許文献１、特許文献２、特許文献３があり、また、導光板式では特許文献４のようなものがあった。
【特許文献１】特開平１０−６３９９４号公報
【特許文献２】特開２００１−６７５９７号公報
【特許文献３】特開２００２−２６０１７５号公報
【特許文献４】特開平１０−２２２７９８号公報
【発明の開示】
【発明が解決しようとする課題】
【０００３】
このような従来の技術は、前記の三灯式ものは電球式のため消費電力が大きくて寿命が短いことと、外寸が大型化して省資源に反するものであった。
【０００４】
そして、後記の単灯式の特開平１０−６３９９４と特開２００２−２６０１７５は、双方とも単色発光の発光ダイオード（以下、発光ダイオードをＬＥＤという）を三種配列して三色を発光させるものなので、限られた表示灯面積に対して発光効率が悪かったことと、特開２００１−６７５９７においては三色発光のＬＥＤを採り入れているが、遮蔽板を付けるなど作動手段が不明確で主信号機の三灯式を特異性のある単灯式への変更には、日常運転の習慣から安全性の問題点があった。
【０００５】
また、導光板式の特開平１０−２２２７９８は導光板と単色の光源とが一対の構成となっているため、単灯式には不可で従来の三灯式には使用可能なものであった。
【課題を解決するための手段】
【０００６】
以上のような課題を解決するために次のような手段を用いる。
先ず、主信号機は日常運転の慣れから三灯式とし安全性の確保のため、前記主信号機の発光色と単灯式の補助信号機の発光色とが必ず合致して同期するよう、信号制御盤からの主ケーブルに接続する変換器および前記変換器において分岐される二本の分岐ケーブルを付設する。
【０００７】
そして、前記主ケーブルからの信号は前記変換器の端子により分岐され、一方の前記分岐ケーブルは入力端子より前記主信号機へ、他方の前記分岐ケーブルは前記変換器により変換された信号を出力端子より前記補助信号機の単灯式で三色発光する多色発光体へ印加することにより、双方は連動して発光するものとなる。
【０００８】
従って、発光体の消費電力は小さくなって長寿命化が計られ、外寸も小型化されて省資源の目的を達成できるものとなる。
【発明の効果】
【０００９】
本発明は、以上説明したような構成をしているので、以下に記載されるような効果がある。
【００１０】
先ず、主信号機の背面に単灯式の補助信号機を付設するには、主信号機と補助信号機が連動するよう変換器と分岐ケーブルを主信号機の近傍に付設することにより容易に可能となり、交差点における安全性が向上するものである。
【００１１】
次に、単体で多色発光するＬＥＤを採り入れることにより単色発光するＬＥＤより基板での配置が均一化されて、表面にメッキを施した伸銅品の反射放熱板を付設することにより、限られた面積における発光効率の向上および高い熱伝導率によるＬＥＤの発熱の影響を軽減でき、さらに、ＬＥＤを数十個並列に接続することにより球切れによる消灯状態は無くなるものである。
【００１２】
そして、発光体を電球式からＬＥＤ式に変更することにより発光体の寿命は長くなり消費電力も小さくなって、単灯式という外寸の小型化も相成って省資源に貢献するものである。
【００１３】
さらに、従来の三灯式の補助信号機を単灯式にすることにより主信号機の形状が縦横どの方向でも対応でき、外寸の小型化により角度調整も大きくとれて対向する運転手へ信号の識別が向上し、また、慣れるまでは昼間においては単灯式という違和感は生じるが、夜間においては全く違和感は無くなるものとなる。
【００１４】
また、ＣＦＬ式においても上記と同様の効果が得られて、双方とも単灯式のため常時点灯状態となり三灯の電球式に見られるような太陽の逆光による表示灯の疑似点灯は無くなり、補助信号機の識別が一段と向上するものである。
【発明を実施するための最良の形態】
【００１５】
先ず、本発明の実施例を図面に基づき説明する。
【実施例１】
【００１６】
図１は、支柱１４に信号制御盤１３およびアーム１５が固着され、アーム１５に主信号機１で三灯の電球式灯器２、主信号機１の背面には補助信号機４で単灯のＬＥＤ式灯器５、補助信号機４と視認させる表示板１７、さらに交流を直流に変換するコンバータ１０が固定されている信号機の概況を示すものである。
【００１７】
図２は、アーム１５に主信号機１と主信号機１の背面となるところに補助信号機４と表示板１７およびコンバータ１０が固定され、主ケーブル１１は図１の信号制御盤１３に接続し、コンバータ１０において分岐された二本の分岐ケーブル１２により、主信号機１と補助信号機４のＬＥＤ式灯器５に接続されている状態を示す立面図である。
【００１８】
図３は、上記の平面図でアーム１５には補助信号機４が容易に上下左右に調整保持できる角度調整金具１６を付設して、運転手に対し最も識別できるようにしている。この場合、補助信号機４の直径が主信号機１の長辺より小さいために角度調整は大きくすることができ、運転手に最適の角度が信号の識別を向上させるものとなる。そして、図４は上記の側面図である。
【００１９】
図５は、降雪地帯に多く設置されている縦型主信号機３の背面に補助信号機４を固定した状態を示すもので、補助信号機４が単灯式のために主信号機の形状が縦横問わずにはアーム１５に充分固定できるものである。
【００２０】
図６は、信号制御盤１３以降のブロック図であり信号制御盤１３からの主ケーブル１１はコンバータ１０に接続され、コンバータ１０において分岐された二本の分岐ケーブル１２により、主信号機１の電球式灯器２と補助信号機４のＬＥＤ灯器５に接続されている。
【００２１】
図７は、電球式灯器２とＬＥＤ式灯器５となる多色発光ＬＥＤ６の連動を説明するもので、電球式灯器２の赤、黄、青の三色の灯器をＬ１、Ｌ２、Ｌ３とし、これに連動する多色発光ＬＥＤ６は一本アノードＡと三本カソードＣ１、Ｃ２、Ｃ３のフレームをもち、赤、黄、青の三色をＬＥＤ１、ＬＥＤ２、ＬＥＤ３としている。
【００２２】
例えば、信号制御盤１３から赤の信号が発信された場合、コンバータ１０において信号は分岐され、一方はコンバータ１０の入力端子より電球式灯器２の赤のＬ１を発光させ、他方はコンバータ１０により直流に変換された信号を出力端子より多色発光ＬＥＤ６の中で赤の発光素子をもつＬＥＤ１を発光させる。
【００２３】
従って、Ｌ１とＬＥＤ１は同期に発光し、以下、黄のＬ２とＬＥＤ２および青のＬ３とＬＥＤ３も同じような回路となっているので、主信号機１と補助信号機４の発光色は合致するものとなる。なお、ＬＥＤの三色の発光素子の物質については、特開２００２−２９８６２９で公知となっている。
【００２４】
図８は、ＬＥＤ灯器５の側面の一断面を示すもので、基板７に四本のフレームを持つ多色発光ＬＥＤ６を同心円状に配置して、多色発光ＬＥＤ６の輝度の向上と発熱を抑えるために、高い熱伝導率を保有する伸銅品を多色発光ＬＥＤ６が収まるよう円錐状に穿孔し、この伸銅品の表面にメッキの加工した反射放熱板９を付設し、無色透明レンズ８を通して三色を発光するものである。
【実施例２】
【００２５】
図９は、第一実施例の発光体である多色発光ＬＥＤ６の代わりに冷陰極蛍光ランプ（以下、冷陰極蛍光ランプをＣＦＬという）を採り入れた補助信号機の立面を示すもので、この場合、ＣＦＬ式灯器１８の特性を考慮して形状を角形補助信号機４ａとし、また、第一実施例のコンバータ１０もインバータ１９に代えているものである。
【００２６】
図１０は、電球式灯器２とＣＦＬ式灯器１８となるＣＦＬ２０の連動を説明するもので、電球式灯器２を前記の通りＬ１、Ｌ２、Ｌ３とし、これに連動するＣＦＬ２０は赤、黄、青の三色発光をＣＦＬ１、ＣＦＬ２、ＣＦＬ３とし三灯を一組とするものである。
【００２７】
例えば、信号制御盤１３から赤の信号が発信された場合、その信号はインバータ１９において信号は分岐され、一方はインバータ１９の入力端子より電球式灯器２の赤のＬ１を発光させ、他方はインバータ１９により周波数変換された信号を出力端子よりＣＦＬ２０の中で赤の蛍光体を持つＣＦＬ１を発光させる。
【００２８】
従って、Ｌ１とＣＦＬ１は同期に発光し、以下、黄のＬ２とＣＦＬ２および青のＬ３とＣＦＬ３も同じような回路となっているので、主信号機１と補助信号機４の発光色は合致するものとなる。なお、ＣＦＬ２０の三色を発光する蛍光体については、オーム社刊の電気工学ポケットブックで公知となっている。
【００２９】
図１１は、ＣＦＬ式灯器１８の側面の一断面を示すもので、第一実施例と同じ材質で横方向に溝三本と内面をメッキ加工した溝付反射放熱板９ａに、ＣＦＬ２０を上下それぞれに一組付設しているものである。
【００３０】
そして、既存のＴＦＴ液晶モニタにあるような光学シミュレーション技術を利用してＣＦＬ２０の中の一本を発光させた場合、その光は反射シート２２から導光板２１および拡散プリズムシート２３を通して無色透明レンズ８に達し、単色を均一に発光するものとなる。
【００３１】
従って、ＣＦＬ２０は単色発光するＣＦＬ１〜３の三本を一組として均一な三色を発光するため、ＣＦＬ式灯器１８は大きな表示を要する交差点の補助信号機に適するものである。
【図面の簡単な説明】
【００３２】
【図１】主信号機と補助信号機の交差点での設置図である。
【図２】主信号機と補助信号機およびコンバータの立面図である。
【図３】上記の平面図である。
【図４】上記の側面図である。
【図５】縦型主信号機の場合を示した図である。
【図６】信号制御盤以降のブロック図である。
【図７】信号制御盤以降のＬＥＤの連動説明図である。
【図８】ＬＥＤ式灯器の側面の一断面図である。
【図９】角形補助信号機を示す図である。
【図１０】信号制御盤以降のＣＦＬの連動説明図である。
【図１１】ＣＦＬ式灯器の側面の一断面図である。
【符号の説明】
【００３３】
１    主信号機
２    電球式灯器
３    縦型主信号機
４    補助信号機
４ａ  角形補助信号機
５    ＬＥＤ式灯器
６    多色発光ＬＥＤ
７    基板
８    無色透明レンズ
９    反射放熱板
９ａ  溝付反射放熱板
１０    コンバータ
１１    主ケーブル
１２    分岐ケーブル
１３    信号制御盤
１４    支柱
１５    アーム
１６    角度調整金具
１７    表示板
１８    ＣＦＬ式灯器
１９    インバータ
２０    ＣＦＬ
２１    導光板
２２    反射シート
２３    拡散プリズムシート
２４    補強板